(57)【要約】【課題】ＳＡＴＡ及びＩＤＥ規格を備えた電源アダプタの提供。【解決手段】本考案はＳＡＴＡ及びＩＤＥ規格を備えた電源アダプタを提示する。この電源アダプタの一端はＳＡＴＡ規格の接続ポートで、他の一端はＩＤＥ規格の接続ポートであり、電源アダプタの内部には複数の通電線及び接地線の電力端子を持ち、ＩＤＥ規格の接続ポートの電力端子配置順序は、通電線、接地線、接地線、通電線であり、ＳＡＴＡ規格の接続ポートは少なくとも対応する電力端子を備え、順序は通電線、接地線、通電線、接地線である。且つ非対等電位の通電線電力端子は連結段を備え、隣の接地線電力端子を跨いで向きを変え、対等電位の通電線電力端子に接続することにより、ＳＡＴＡ及びＩＤＥ規格を備えた電源アダプタを構成する。【選択図】図１
0003122839.tif 000002
【実用新案登録請求の範囲】
【請求項１】
電源アダプタの一端はＳＡＴＡ規格の接続ポートであり、もう一端はＩＤＥ規格の接続ポートであり、当該ＳＡＴＡ規格ポートとＩＤＥ規格ポートは同一の平行面或いは相対的に挟み角の接続に位置し、また当該電源アダプタ内部には複数の通電線及び接地線電力端子を備え、当該ＩＤＥ規格の接続ポートの電力端子の配置順序は通電線、接地線、接地線、通電線であり、当該ＳＡＴＡ規格の接続端子は少なくとも対応する電力端子を備え、順序は通電線、接地線、通電線、接地線である。且つ非対等電位の通電線電力端子は連結段を備え、隣の接地線電力端子を跨いで向きを変え、対等電位の通電線電力端子に接続することにより、ＳＡＴＡ及びＩＤＥ規格を備えた電源アダプタを構成することを特徴とするＳＡＴＡ及びＩＤＥ規格を備えた電源アダプタ。
【請求項２】
電力端子の其々は、連結段を備え、対等電位の電力端子に接続する。接地線電力端子の連結段は、通電線電力端子の連結段と異なる曲がり高度で跨いで接続される。この２つの通電線電力端子は何れも非対等電位であり、それぞれ連結段を備え、異なる高度で隣の接地線電力端子を跨いで向きを変え、対等電位の通電線電力端子に接続することを特徴とする請求項１に述べるＳＡＴＡ及びＩＤＥ規格を備えた電源アダプタ。
【請求項３】
接地線電力端子の連結段と通電線電力端子の連結段は高度落差区間内で絶縁部品を配置する。この２つの通電線電力端子は何れも非対等電位であり、２つの通電線電力端子の連結段は高度落差区間内で絶縁部品を配置することを特徴とする請求項１或いは請求項２に述べるＳＡＴＡ及びＩＤＥ規格を備えた電源アダプタ。
【請求項４】
電源アダプタはＳＡＴＡ規格をＩＤＥ規格に変える変換ヘッド型である場合、余剰電位は空電位である。電源アダプタはＳＡＴＡ規格及びＩＤＥ規格の共用ソケット型である場合、電力ソケットと各電力端子上には、電力線を通す穿孔と電力接続部を装備することを特徴とする請求項３に述べるＳＡＴＡ及びＩＤＥ規格を備えた電源アダプタ。
【考案の詳細な説明】
【技術分野】
【０００１】
本考案は電力を伝送する電源アダプタに関するものであり、ＳＡＴＡ規格とＩＤＥ規格を併せて適用できる電源アダプタである。
【背景技術】
【０００２】
早期のＡＴＡ（ＡＴ  Ａｔｔａｃｈｍｅｎｔ、或いは現在の一般呼称であるＩＤＥインタフェース）伝送インタフェースは磁気ディスク機器或いは光ディスク機器の伝送インタフェース規格であり、それは主にコンピュータとハードディスク間の通信ブリッジであり、二者間で大量のデータを素早く転送する目的を実現する。技術のたゆまない進歩により、この種の伝送インタフェースにはUltrａ ＡＴＡ、Ｕｌｔｒａ  ＡＴＡ／６６及び現在一般的に使用されているUltrａ ＡＴＡ/１００規格が続々と制定され、このＡＴＡ（ＡＴ  Ａｔｔａｃｈｍｅｎｔ）タイプの規格の進化により、データの正確性が大幅に向上しただけでなく、特にバンド幅方面において、伝送速度は１００MB/秒に達した。業界の技術が絶えず進化する中、ＳＡＴＡ（Ｓｔｒｉａｌ ＡＴＡ）と称する新規格が制定された。これはＡＴＡインタフェースの延長規格であり、主要な特色は、ＡＴＡインタフェースのハードウェア規格を保留しながら、パレレル伝送モード（ＳＣＳI或いはパラレルポートなど）からシリアル（ＵＳＢ或いはＩＥＥＥ１３９４の転送モード）に変更し、これにより、１５０ＭＢ／秒に達する伝送速度を提供できるだけでなく、ホットプラグ（Ｈｏｔ−Ｐｌｕｇ）の接続性及び現行のパラレルＡＴＡのソフトウェアとドライバプログラムとの互換性を提供できる。各方面の効果は均しく現行規格より優れ、且つＳＡＴＡ規格が第二世代に進化することにより、伝送速度は３００MB/秒以上に達し、多数作業時の効率を大幅に向上させたい。
【０００３】
一般のコンピュータ、サーバ或いは電気機械設備内には皆、パワーサプライを備え、その主要用途は交流電源を異なる電圧の安定直流電力に変換し、コンピュータやサーバ内の各周辺機器が必要とする異なる電圧を提供することにある。上述のパワーサプライが出力する直流電力は＋１２Ｖ、＋５Ｖ、＋３Ｖ直流電源を含み、一般的にＩＤＥ規格の４Ｐ電源コネクタ（４ ｐｉｎ  ｐｏｗｅｒ  ｃｏｎｎｅｃｔｏｒ）及びＳＡＴＡ電源コネクタ（ＳＡＴＡ  ｐｏｗｅｒ  ｃｏｎｎｅｃｔｏｒ）の主要な２種類の電源コネクタより電力を供給し、出力の＋１２Ｖ、＋５Ｖ直流電源は４Ｐ電源コネクタより供給され、ＳＡＴＡ電源コネクタは＋１２Ｖ、＋５Ｖ、＋３.３Ｖを含む直流電源を供給する。詳細構造については、特許文献１「ＳＡＴＡ及び周辺設備電源接続の共線設備」を参照でき、その中で次の内容が示されている。４Ｐ電源コネクタ出力の電源は計４本あり、第１本目は黄色の電源線（１１）で＋１２Ｖ直流電源の出力を担当し、第２、３本目はアース線としての黒色の電源線であり、第４本目は赤色の電源線で＋５Ｖの直流電源を出力する。一方、ＳＡＴＡ電源コネクタ出力の電源は計５本あり、第１本目は黄色の電源線であり、同様に＋１２Ｖの直流電源を出力し、第２本目はアース線としての黒色の電源線であり、第３本目は赤色の電源線であり、＋５Ｖの直流電源の出力を担当し、第４本目はアース線としての黒色の電源線であり、第５本目はオレンジ色の電源線であり、＋３.３Ｖの直流電源の出力を担当する。上述のように、それぞれ異なる電圧の直流電源を負荷する４Ｐ電源アダプタとＳＡＴＡ電源アダプタの電源線は４本と５本の差異がある。また送信する直流電源には上述の共通性がありながら、差異も存在する。パワーサプライの実際の用途上、二者の４P電源アダプタとＳＡＴＡ電源アダプタは、それぞれ４本の電源線と５本の電源線はパワーサプライより引き出され、また電源線末端（或いは串繋ぎ）に４Ｐ電源アダプタ及びＳＡＴＡ電源アダプタが接続されている。多数の組みの異なる電圧値で電源を出力し、多数の組みの４Ｐ電源アダプタ及びＳＡＴＡ電源アダプタを接続する必要のため、パワーサプライから引き出される電源線の本数は非常に多く乱れたものになり、パワーサプライ内の構造はやや複雑でコストも相対的に高くなる。同時に各ユーザが使用するマザーボードとコンピュータ周辺規格が異なるため、業者は出荷時にやや多数の４Ｐ電源アダプタとＳＡＴＡ電源アダプタを準備し、ユーザの需要に合うようにする必要がある。その数量は業者には事前に予測しづらいため、ユーザが多すぎる４Ｐ電源アダプタ或いはＳＡＴＡ電源アダプタを使用するデバイスを準備した場合、もう一方の規格の電源アダプタの数量が不足しがちであり、すべてのコンピュータ周辺設備へのソケットを提供することができない。４Ｐ電源アダプタ或いはＳＡＴＡ電源アダプタの数量が多すぎると、首尾よく接続できず、浪費になる。以上のそれぞれが消費者の大きな困難となり、業者の在庫管理コストも大きく増加することとなる。
【０００４】
【特許文献１】台湾特許公告第Ｍ２７９９０７号明細書
【考案の開示】
【考案が解決しようとする課題】
【０００５】
上述の既知の背景において、業界の規格設計に適合しながら、使用上の便利さを向上させるため、本考案は一種の新しい電源アダプタを提供し、伝統的な電源アダプタの配置において達成不能であった目的を実現することができる。
【０００６】
本考案の目的は、電源アダプタを提供することにあり、この電源アダプタの一端はＳＡＴＡ規格の接続ポートで、もう一方の端はＩＤＥ規格の接続ポートであり、ユーザはＳＡＴＡ規格のコネクタを簡易にＩＤＥ規格に変換でき、ＩＤＥ規格に属するコンピュータ周辺が必要とする電源を首尾よく供給する。また業者の出荷に関しては、ＳＡＴＡ規格のコネクタを配備すればよく、消費者がＩＤＥ規格のコネクタで繋げて使用する必要がある場合、本考案の電源アダプタはＳＡＴＡ規格のコネクタを自身でＩＤＥ規格のコネクタに首尾よく変換でき、電源供給の便利性を大きく向上させ、業者の在庫管理コストを効率的に削減する。
【０００７】
以上の目的のために、本考案はＳＡＴＡ及びＩＤＥ規格を備えた電源アダプタを提示する。この電源アダプタの一端はＳＡＴＡ規格の接続ポートで、他の一端はＩＤＥ規格の接続ポートであり、電源アダプタの内部には複数の通電線及び接地線の電力端子を持ち、ＩＤＥ規格の接続ポートの電力端子配置順序は、通電線、接地線、接地線、通電線であり、ＳＡＴＡ規格の接続ポートは少なくとも対応する電力端子を備え、順序は通電線、接地線、通電線、接地線である。且つ非対等電位の通電線電力端子は連結段を備え、隣の接地線電力端子を跨いで向きを変え、対等電位の通電線電力端子に接続することにより、ＳＡＴＡ及びＩＤＥ規格を備えた電源アダプタを構成する。
【課題を解決するための手段】
【０００８】
請求項１の考案は、電源アダプタの一端はＳＡＴＡ規格の接続ポートであり、もう一端はＩＤＥ規格の接続ポートであり、当該ＳＡＴＡ規格ポートとＩＤＥ規格ポートは同一の平行面或いは相対的に挟み角の接続に位置し、また当該電源アダプタ内部には複数の通電線及び接地線電力端子を備え、当該ＩＤＥ規格の接続ポートの電力端子の配置順序は通電線、接地線、接地線、通電線であり、当該ＳＡＴＡ規格の接続端子は少なくとも対応する電力端子を備え、順序は通電線、接地線、通電線、接地線である。且つ非対等電位の通電線電力端子は連結段を備え、隣の接地線電力端子を跨いで向きを変え、対等電位の通電線電力端子に接続することにより、ＳＡＴＡ及びＩＤＥ規格を備えた電源アダプタを構成することを特徴とするＳＡＴＡ及びＩＤＥ規格を備えた電源アダプタの一種としている。
請求項２の考案は、電力端子の其々は、連結段を備え、対等電位の電力端子に接続する。接地線電力端子の連結段は、通電線電力端子の連結段と異なる曲がり高度で跨いで接続される。この２つの通電線電力端子は何れも非対等電位であり、それぞれ連結段を備え、異なる高度で隣の接地線電力端子を跨いで向きを変え、対等電位の通電線電力端子に接続することを特徴とする請求項１に述べるＳＡＴＡ及びＩＤＥ規格を備えた電源アダプタとしている。
請求項３の考案は、接地線電力端子の連結段と通電線電力端子の連結段は高度落差区間内で絶縁部品を配置する。この２つの通電線電力端子は何れも非対等電位であり、２つの通電線電力端子の連結段は高度落差区間内で絶縁部品を配置することを特徴とする請求項１或いは請求項２に述べるＳＡＴＡ及びＩＤＥ規格を備えた電源アダプタとしている。
請求項４の考案は、電源アダプタはＳＡＴＡ規格をＩＤＥ規格に変える変換ヘッド型である場合、余剰電位は空電位である。電源アダプタ（１b）はＳＡＴＡ規格及びＩＤＥ規格の共用ソケット型である場合、電力ソケット（１b）と各電力端子上には、電力線を通す穿孔と電力接続部を装備することを特徴とする請求項３に述べるＳＡＴＡ及びＩＤＥ規格を備えた電源アダプタとしている。
【考案の効果】
【０００９】
本考案はＳＡＴＡ及びＩＤＥ規格を備えた電源アダプタを提供することにあり、この電源アダプタの一端はＳＡＴＡ規格の接続ポートで、もう一方の端はＩＤＥ規格の接続ポートであり、ユーザはＳＡＴＡ規格のコネクタを簡易にＩＤＥ規格に変換でき、ＩＤＥ規格に属するコンピュータ周辺が必要とする電源を首尾よく供給する。また業者の出荷に関しては、ＳＡＴＡ規格のコネクタを配備すればよく、消費者がＩＤＥ規格のコネクタで繋げて使用する必要がある場合、本考案の電源アダプタはＳＡＴＡ規格のコネクタを自身でＩＤＥ規格のコネクタに首尾よく変換でき、電源供給の便利性を大きく向上させ、業者の在庫管理コストを効率的に削減する。
【考案を実施するための最良の形態】
【００１０】
第１図、第２図、第３図の表示が示すところは、本考案の好ましい実施例の外観の立体、構造分解及び端子配置の表示図である。図が示すように：本考案はＳＡＴＡ及びＩＤＥ規格に適用可能な電源アダプタ１であり、この電源アダプタ１の一端はＳＡＴＡ規格の接続ポート１０であり、他の一端はＩＤＥ規格の接続ポート２０であり、このＳＡＴＡ規格の接続ポート１０及びＩＤＥ規格の接続ポート２０は同一平面に位置する。またこの電源アダプタ１内部には複数の通電線及び接地電力端子１１〜１４、２１〜２４を備え、この通電線及び接地電力端子１１〜１４のそれぞれは連結段１１１〜１４１を備え、同等電位の電力端子２１〜２４に接続する。このＩＤＥ規格の接続ポート２０の電力端子２１〜２４の配置順序は通電線、接地線、接地線、通電線であり、ＳＡＴＡ規格の接続ポート１０は少なくとも対応する電力端子１１〜１４を備え、順序は通電線、接地線、通電線、接地線である。本実施例中の２つの接地線電力端子１２、１４は何れも対等電位であり、接地線電力端子１２、１４は向きを変えることなく接地線電力端子２２、２３に直接接続できる。２つの通電線１１、１３は何れも非対等電位であり、それぞれ連結段１１１、１３１を備え、異なる高度で隣の接地線の電力端子１２、１４の連結段１２１、１４１を跨ぎ、対等電位の通電線電力端子２４、２１に接続する。この通電線電力端子１１、１３の連結段１１１、１３１は異なる曲がり高度で接地電力端子１２、１４の連結段１２１、１４１を跨いで接続して、お互いに交差する。且つ接地線電力端子１２、１４の連結段１２１、１４１と通電線電力端子１１の連結段１１１は高度落差区間で絶縁部品３０を配置し、通電線電力端子１１の連結段１１１と通電線電力端子１３の連結段１３１も高度落差区間で絶縁部品３１を配置し、連結段１１１〜１４１がお互いに接触してショートすることを避ける；ＳＡＴＡ規格の接続ポート１０の開口部１６には蓋１７を設け、内部の電力端子１１〜１４を保護し、異物が進入して損傷が生じ、電気接続性に不利にならないよう保証する。電源アダプタ１はＳＡＴＡ規格からＩＤＥ規格への変換ヘッド形態であり、余剰電位は空電位１５である。
【００１１】
第４図の表示が示すところは、本考案のもう１つの端子配置表示図である。図が示すように、このＩＤＥ規格の接続ポート２０の電力端子２１ａ〜２４ａの配置順序は、通電線、接地線、接地線、通電線であり、ＳＡＴＡ規格の接続ポート１０は対応する電力端子１１ａ〜１４ａを配置し、その順序は通電線、接地線、通電線、接地線である。且つこの電力端子１１ａ〜１４ａと電力端子２１ａ〜２４ａの間にはそれぞれ連結段１１１ａ〜１４１ａを備える。この接地線電力端子１２ａ、１４ａは対等電位であり、その上の連結段１２１ａ、１４１ａは向きを変えることなく接地線電力端子２２ａ、２３ａに接続できる。通電線電力端子１１ａも対等電位であり、接続段１１１ａにより向きを変えることなく、通電線電力端子２１ａに接続する。またこの通電線電力端子１３ａは非対等電位であり、この通電線電力端子１３ａが備える連結段１３１ａは向きを変えて隣の接地線電力端子１４ａの連結段１４１ａを跨ぎ、対等電位の通電線電力端子２４ａに接続する。且つこの通電線電力端子１３ａの連結段１３１ａは異なる曲がり高度で接地線電力端子１４ａの連結段１４１ａを跨いで接続して、お互いに交差する。この連結段１２１ａ、１４１ａと連結段１１１ａ、１３１ａは高度落差区間に絶縁部品３０を配置する。上述のＳＡＴＡ規格の接続ポート１０及びＩＤＥ規格の接続ポート２０は同一平行面に位置し、二者は相対的な挟み角での接続或いは垂直接続（第５図を参照）にでき、ユーザは異なる接続位置の装置に合わせて使用できる。
【００１２】
第６〜７図の表示が示すところは、本考案の他の１つの実施例の表示図である。図が示すように、その電力ソケット１ｂはＳＡＴＡ規格及びＩＤＥ規格の共用ソケット形態であり、その一端はＳＡＴＡ規格の接続ポート１０ｂであり、他の一端はＩＤＥ規格の接続ポート２０ｂである。この電力ソケット１ｂと各電力端子４０上には対応する電力線２を通す穿孔１８及び電力接続部１９を設け、当該ＳＡＴＡ規格の接続ポート１０ｂ及び他の一端のＩＤＥ規格の接続ポート２０ｂ上には複数の電力端子４０、５０を備える。しかしその対等電位の電力端子５０は、連結段５１により向きを変えることなく対等電位の電力端子４０に接続し、非対等電位端子５０の連結段５２は異なる高度で向きを変えて跨ぎ、対等電位の電力端子４０に接続する。またこの連結段５１、５２の高度落差区間内に絶縁部品３２を配置する方式は、上述の説明と大体同じであるため、ここでは繰り返し述べない。上述のように、本考案は、電源アダプタ１〜１ｂの一端がＳＡＴＡ規格の接続ポート１０〜１０ｂを設け、もう一端はＩＤＥ規格の接続ポート２０〜２０ｂであり、ユーザはＳＡＴＡ規格からＩＤＥ規格に簡単に変換でき、ＩＤＥ規格に属するコンピュータ周辺機器が必要とする電源を首尾よく提供する。且つ業者の出荷に関しては、ＳＡＴＡ規格のコネクタだけを配備すればよく、消費者がＩＤＥ規格のコネクタを繋げて使用する必要がある場合、本考案の電源アダプタ１はＳＡＴＡ規格のコネクタをＩＤＥ規格のコネクタに首尾よく変換でき、電源供給の便利性を大きく向上させ、業者の在庫管理コストを効率的に削減できる。また、本考案において同時にＳＡＴＡ及びＩＤＥ規格を備えた電源アダプタ１〜１bの構造設計、及び異なる規格間で容易に変換できる特性は未だ発展しておらず、本考案の技術領域中に用いられた。
【図面の簡単な説明】
【００１３】
【図１】本考案の外観立体表示図である。
【図２】本考案の構造分解表示図である。
【図３】本考案の端子配置表示図である。
【図４】本考案のもう一方の端子の配置表示図である。
【図５】本考案の実施例表示図である。
【図６】本考案の他の実施例の外観立体表示である。
【図７】本考案の他の実施例の構造分解表示図である。
【符号の説明】
【００１４】
１  電源アダプタ
１ｂ  電力ソケット
２  電力線
１５  空電位
１６  開口部
１７  蓋
１８  穿孔
１９  電力接続部
１０、１０ｂ  ＳＡＴＡ規格の接続ポート
２０、２０ｂ  ＩＤＥ規格の接続ポート
１１、１１ａ、１２、１２ａ、１３、１３ａ、１４、１４ａ、２１、２１ａ、２２、２２ａ、２３、２３ａ、２４、２４ａ、４０  電力端子
１１１ａ  接続段
３０、３１、３２  絶縁部品
４０、５０  電力端子
５１、５２、１１１、１１１ａ、１２１、１２１ａ、１３１、１３１ａ、１４１、１４１ａ  連結段
【図１】
0003122839.tif 000003
【図２】
0003122839.tif 000004
【図３】
0003122839.tif 000005
【図４】
0003122839.tif 000006
【図５】
0003122839.tif 000007
【図６】
0003122839.tif 000008
【図７】
0003122839.tif 000009
【手続補正書】
【提出日】平成18年4月20日(2006.4.20)
【手続補正１】
【補正対象書類名】実用新案登録請求の範囲
【補正対象項目名】全文
【補正方法】変更
【補正の内容】
【実用新案登録請求の範囲】
【請求項１】
電源アダプタの一端はＳＡＴＡ規格の接続ポートであり、もう一端はＩＤＥ規格の接続ポートであり、当該ＳＡＴＡ規格ポートとＩＤＥ規格ポートは同一の平行面或いは相対的に挟み角の接続に位置し、また当該電源アダプタ内部には複数の通電線及び接地線電力端子を備え、当該ＩＤＥ規格の接続ポートの電力端子の配置順序は通電線、接地線、接地線、通電線であり、当該ＳＡＴＡ規格の接続端子は少なくとも対応する電力端子を備え、順序は通電線、接地線、通電線、接地線である、且つ非対等電位の通電線電力端子は連結段を備え、隣の接地線電力端子を跨いで向きを変え、対等電位の通電線電力端子に接続することにより、ＳＡＴＡ及びＩＤＥ規格を備えたという構造を有する電源アダプタ。
【請求項２】
電力端子の其々は、連結段を備え、対等電位の電力端子に接続する、接地線電力端子の連結段は、通電線電力端子の連結段と異なる曲がり高度で跨いで接続される、この２つの通電線電力端子は何れも非対等電位であり、それぞれ連結段を備え、異なる高度で隣の接地線電力端子を跨いで向きを変え、対等電位の通電線電力端子に接続することを特徴とする請求項１記載のＳＡＴＡ及びＩＤＥ規格を備えた電源アダプタ。
【請求項３】
接地線電力端子の連結段と通電線電力端子の連結段は高度落差区間内で絶縁部品を配置する、この２つの通電線電力端子は何れも非対等電位であり、２つの通電線電力端子の連結段は高度落差区間内で絶縁部品を配置することを特徴とする請求項１或いは請求項２記載のＳＡＴＡ及びＩＤＥ規格を備えた電源アダプタ。
【請求項４】
電源アダプタはＳＡＴＡ規格をＩＤＥ規格に変える変換ヘッド型である場合、余剰電位は空電位である、電源アダプタはＳＡＴＡ規格及びＩＤＥ規格の共用ソケット型である場合、電力ソケットと各電力端子上には、電力線を通す穿孔と電力接続部を装備することを特徴とする請求項３記載のＳＡＴＡ及びＩＤＥ規格を備えた電源アダプタ。
【手続補正２】
【補正対象書類名】明細書
【補正対象項目名】０００８
【補正方法】変更
【補正の内容】
【０００８】
請求項１の考案は、電源アダプタの一端はＳＡＴＡ規格の接続ポートであり、もう一端はＩＤＥ規格の接続ポートであり、当該ＳＡＴＡ規格ポートとＩＤＥ規格ポートは同一の平行面或いは相対的に挟み角の接続に位置し、また当該電源アダプタ内部には複数の通電線及び接地線電力端子を備え、当該ＩＤＥ規格の接続ポートの電力端子の配置順序は通電線、接地線、接地線、通電線であり、当該ＳＡＴＡ規格の接続端子は少なくとも対応する電力端子を備え、順序は通電線、接地線、通電線、接地線である、且つ非対等電位の通電線電力端子は連結段を備え、隣の接地線電力端子を跨いで向きを変え、対等電位の通電線電力端子に接続することにより、ＳＡＴＡ及びＩＤＥ規格を備えたという構造を有する電源アダプタとしている。
請求項２の考案は、電力端子の其々は、連結段を備え、対等電位の電力端子に接続する、接地線電力端子の連結段は、通電線電力端子の連結段と異なる曲がり高度で跨いで接続される、この２つの通電線電力端子は何れも非対等電位であり、それぞれ連結段を備え、異なる高度で隣の接地線電力端子を跨いで向きを変え、対等電位の通電線電力端子に接続することを特徴とする請求項１記載のＳＡＴＡ及びＩＤＥ規格を備えた電源アダプタとしている。
請求項３の考案は、接地線電力端子の連結段と通電線電力端子の連結段は高度落差区間内で絶縁部品を配置する、この２つの通電線電力端子は何れも非対等電位であり、２つの通電線電力端子の連結段は高度落差区間内で絶縁部品を配置することを特徴とする請求項１或いは請求項２記載のＳＡＴＡ及びＩＤＥ規格を備えた電源アダプタとしている。
請求項４の考案は、電源アダプタはＳＡＴＡ規格をＩＤＥ規格に変える変換ヘッド型である場合、余剰電位は空電位である、電源アダプタはＳＡＴＡ規格及びＩＤＥ規格の共用ソケット型である場合、電力ソケットと各電力端子上には、電力線を通す穿孔と電力接続部を装備することを特徴とする請求項３記載のＳＡＴＡ及びＩＤＥ規格を備えた電源アダプタとしている。